(57)【要約】【課題】ダクト取り付け構造の異なる複数の天井筺体にダクト部品を共用できるようにする技術を提供する。【解決手段】エレベータ乗りかご用のダクト装置は、第１ダクト部材と、第２ダクト部材と、を有している。第１ダクト部材は、取り付け部を内側に向けると前記天井筺体の外側面に取り付けることができ、前記取り付け部を外側に向けると前記天井筺体の内側面に取り付けることができ、取り付けられた状態で乗りかご室内と乗りかご上部の間に空気流路を構成し、該空気流路の水平断面形状が矩形である。第２ダクト部材は、少なくとも２通りの接続方法で前記第１ダクト部材の上部開口に一致する下部小開口と、前記下部小開口よりも大きい上部大開口とを有し、前記下部小開口と前記上部大開口の間の空気流路の側面に少なくとも１つの垂直平面を有し、前記垂直平面が外側に向くように前記下部小開口が前記第１ダクト部材の上部開口に接続される。【選択図】図３Ａ
2014001023.tif 000002
【特許請求の範囲】
【請求項１】
乗りかご本体上に天井筺体を載置したエレベーター乗りかご用のダクト装置であって、
取り付け部を内側に向けると前記天井筺体の外側面に取り付けることができ、前記取り付け部を外側に向けると前記天井筺体の内側面に取り付けることができ、取り付けられた状態で乗りかご室内と乗りかご上部の間に空気流路を構成し、該空気流路の水平断面形状が矩形である第１ダクト部材と、
少なくとも２通りの接続方法で前記第１ダクト部材の上部開口に一致する下部小開口と、前記下部小開口よりも大きい上部大開口とを有し、前記下部小開口と前記上部大開口の間の空気流路の側面に少なくとも１つの垂直平面を有し、前記垂直平面が外側に向くように前記下部小開口が前記第１ダクト部材の上部開口に接続される第２ダクト部材と、を有するダクト装置。
【請求項２】
前記天井筺体の内部に照明光源が配設され、前記第１ダクト部材は上部開口から下部開口まで空気流路の前記天井筺体の外側面に直交する方向の厚さが一定である、請求項１に記載のダクト装置。
【請求項３】
前記第１ダクト部材の高さは前記天井筺体の高さに応じて選択される、請求項１に記載のダクト装置。
【請求項４】
前記第２ダクト部材は、前記下部小開口部から前記上部大開口部への空気流路の広がりが前記乗りかごの内側に方向づけられている、
請求項１に記載のダクト装置。
【発明の詳細な説明】
【技術分野】
【０００１】
本発明はエレベーターの乗りかごの構造に関する。
【背景技術】
【０００２】
クーラー付きエレベーターの乗りかごの上部には種々の構成部品が配設される。例えば、特許文献１に記載されたエレベーターの乗りかごの上面には乗りかご上に設置されたクーラーと乗りかご内部とを接続するダクトが通っている。また、乗りかご内部の上端近傍には照明が設置される。照明はできるだけ天井全面に壁際まで光源を設け、乗りかご内全体を均等に照らすのが好ましいとされ、その一方で照明と壁との間にはダクトを設ける必要があり、設計の条件を厳しくしている。
【０００３】
このような内部のデザインや外部の構造などの様々な条件に対応するために、乗りかご本体を上部が開放された形状とし、その上に天井筺体を載置して本体上部を塞ぐ構造を採用した例がある。また、その天井筺体とダクトとを接続する構造も様々である。具体的には、天井筺体の枠に、その内側面からダクトを取り付ける構造と、天井筺体の枠に、その外側面からダクトを取り付ける構造とがある。条件に応じて天井筺体やダクト接続の構造を選択することで、様々な条件に対応している。
【先行技術文献】
【特許文献】
【０００４】
【特許文献１】特開２０００−３３５８５３号公報
【発明の概要】
【発明が解決しようとする課題】
【０００５】
ダクトは、乗りかご上に設置されたクーラーと乗りかご室内を接続するものである。照明をできるだけ天井全面に広く配設するために、ダクトは乗りかごのできるだけ外縁近傍に配設され、かつ、ダクト厚が小さい方が好ましい。そのため、ダクトは乗りかごのできるだけ外縁近傍に配設し、下部（乗りかご室内側）では上部（クーラー側）よりも空気流路の断面積を小さくし、ダクトの上部に向けた広がり方は乗りかごの外縁から内側に方向づけたものが好ましい（特許文献１の図１参照）。
【０００６】
乗りかごの内側に広がるように方向づけられた形状のダクトでは、天井筺体の内側面に取り付ける場合と外側面に取り付ける場合とでは、ダクトのねじ受け部材やねじ穴などの取り付け部の位置とダクトの広がり方向との関係が逆となるので、ダクト部品の共用ができなかった。
【０００７】
本発明の目的は、ダクト取り付け構造の異なる複数の天井筺体にダクト部品を共用できるようにする技術を提供することである。
【課題を解決するための手段】
【０００８】
本発明の一態様によるエレベータ乗りかご用のダクト装置は、乗りかご本体上に天井筺体を載置したエレベーター乗りかご用のダクト装置であって、取り付け部を内側に向けると前記天井筺体の外側面に取り付けることができ、前記取り付け部を外側に向けると前記天井筺体の内側面に取り付けることができ、取り付けられた状態で乗りかご室内と乗りかご上部の間に空気流路を構成し、該空気流路の水平断面形状が矩形である第１ダクト部材と、少なくとも２通りの接続方法で前記第１ダクト部材の上部開口に一致する下部小開口と、前記下部小開口よりも大きい上部大開口とを有し、前記下部小開口と前記上部大開口の間の空気流路の側面に少なくとも１つの垂直平面を有し、前記垂直平面が外側に向くように前記下部小開口が前記第１ダクト部材の上部開口に接続される第２ダクト部材と、を有している。
【０００９】
また、前記天井筺体の内部に照明光源が配設され、前記第１ダクト部材は上部開口から下部開口まで空気流路の前記天井筺体の外側面に直交する方向の厚さが一定であってもよい。
【００１０】
また、前記第１ダクト部材の高さは前記天井筺体の高さに応じて選択されるものであってもよい。
【００１１】
また、前記第２ダクト部材は、前記下部小開口部から前記上部大開口部への空気流路の広がりが前記乗りかごの内側に方向づけられていてもよい。
【発明の効果】
【００１２】
本発明によれば、ダクト取り付け構造の異なる複数の天井筺体にダクト部品を共用することができる。
【図面の簡単な説明】
【００１３】
【図１】本実施形態によるエレベータの一例の概略図である。
【図２】乗りかご１を上方から見た図である。
【図３Ａ】一例としての乗りかご１上部のＡ−Ａ´断面図である。
【図３Ｂ】他の例における乗りかご１上部のＡ−Ａ´断面図である。
【図４】図２および図３Ａにおける天井筺体８に取り付けられた第１ダクト部材１０をＢ方向から見た図である。
【発明を実施するための形態】
【００１４】
本発明の実施形態について図面を参照して説明する。
【００１５】
図１は、本実施形態によるエレベータの一例の概略図である。本実施形態によるエレベータは、乗りかご１とつり合い錘２を両端に接続したロープを巻上機３によって巻き上げることにより、乗りかご１を昇降させる構成である。乗りかご１は乗りかご本体１ａと天井筺体８とを有し、乗りかご本体１ａの上に天井筺体８が載置されている。
【００１６】
乗りかご本体１ａは上部が開放されており、天井筺体８が載置されることでその上部の開口が塞がれている。天井筺体８は不図示のダクトで乗りかご１の上部と室内の間に空気流路が形成されている。
【００１７】
図２は、乗りかご１を上方から見た図である。図２ではダクトは図中の上下２か所である。ダクトの上側開口には送風管５ａ、５ｂの一端が接続され、ダクトと送風管５ａ、５ｂの隙間がダクトカバー６、７で塞がれている。送風管５ａ、５ｂの他端はどちらもクーラ本体４に接続されている。
【００１８】
図３Ａは、一例としての乗りかご１上部のＡ−Ａ´断面図である。図３Ｂは、他の例における乗りかご１上部のＡ−Ａ´断面図である。
【００１９】
図３Ａを参照すると、ダクト１５は第１ダクト部材１０と第２ダクト部材１６とを有している。第１ダクト部材１０は、取り付け部１０ａを内側に向けると天井筺体８の外側面に取り付けることができ、取り付け部１０ａを外側に向けると天井筺体８の内側面に取り付けることができる。
【００２０】
図３Ａには、取り付け部１０ａを内側（図中の右側）に向け、天井筺体８の外側面に外側から取り付けた場合の例が示されている。一方、図３Ｂには、取り付け部１０ａを外側（図中の左側）に向け、天井筺体８の外側面に外側から取り付けた場合の例が示されている。取り付け部１０ａを内側に向けるか外側に向けるかは、天井筺体８の構造に応じて選択することができる。第１ダクト部材１０は、天井筺体８に取り付けられた状態で乗りかご１室内と乗りかご上部の間に空気流路を構成する。そして、その空気流路の水平断面形状が矩形である。
【００２１】
第２ダクト部材１６は、少なくとも２通りの接続方法で第１ダクト部材１０の上部開口に一致する下部小開口と、下部小開口よりも大きい上部大開口とを有し、下部小開口と上部大開口の間の空気流路の側面に少なくとも１つの垂直平面を有している。本実施形態では、第１ダクト部材１０を取り付け部１０ａを内側に向けた状態でも、外側に向けた状態でも、図３Ａ、３Ｂに示すように、第２ダクト部材１６の広がり方向を内側（図中の右側）に向けるように、第１ダクト部材１０と接続することができる。
【００２２】
図３Ａの例では、取り付け部１０ａを内側に向けた状態の第１ダクト部材１０の上部開口に、第２ダクト部材１６の下部小開口を接続した状態が示されている。第２ダクト部材１６の垂直平面が外側に向いている。一方、図３Ｂの例では、取り付け部１０ａを外側に向けた向けた状態で第２ダクト部材１６の垂直平面が外側に向いている。
【００２３】
本実施形態によれば、第１ダクト部材１０の取り付け方向を選択することで天井筺体８の外側からも内側からも取り付けることができ、かつ、上部が広がった第２ダクト部材１６を乗りかご１の範囲内に収めるように取り付けることができるので、第１ダクト部材１０および第２ダクト部材１６を取り付け構造の異なる２つの天井筺体８に共用できる。
【００２４】
また、天井筺体８の内部に照明光源１４が配設され、第１ダクト部材１０は上部開口から下部開口まで空気流路の天井筺体８の外側面に直交する方向（図中の左右方向）の厚さが一定である。空気流路の断面が天井筺体８の側方にある第１ダクト部材１０では一定厚であり、その上部に接続される第２ダクト部材１６で広がるようになっているので、天井筺体８を天井に広くとり、照明光源１４を天井全面に広く配置することができる。なお、本実施形態では、低温となる第１ダクト部材１０と、高温となる照明光源１４との間に断熱材１３を配置することにより、結露を防止している。
【００２５】
また、第１ダクト部材１０の高さは天井筺体８の高さに応じて選択される。図３Ａ、３Ｂの例では、第１ダクト部材１０の高さを天井筺体８の高さと概ね同じ高さにしている。様々な高さの天井筺体８に第１ダクト部材１０の高さを変更するだけで対応でき、第２ダクト部材１６を共用することができる。
【００２６】
また、第２ダクト部材１６は、下部小開口部から上部大開口部への空気流路の広がりが乗りかご１の内側に方向づけられている。これにより、ダクトを乗りかご１の範囲内に収めつつ、上部方向へのダクトの広がりを大きく取ることが可能となっている。
【００２７】
第２ダクト部材１６は、送風管５ａ、５ｂの開口を、冷風を吹出す口である第１ダクト部材１０の上部および下部の開口に合うように形状を変換する。そのために、第２ダクト部材１６の下部小開口は上部大開口よりも小さく絞られている。第２ダクト部材１６は、天井筺体８よりも上側に配置されるため、天井筺体８を広く取り、照明光源１４を広く配置することを可能にしている。また、意匠的効果を狙って天井筺体８が上下方向に凹凸を有する場合でも、天井筺体８とダクトとが干渉するのを防止することが可能である。例えば、天井筺体８の下面をなし、照明光源１４からの光を疎通させる半透明アクリル製の遮蔽板がアーチ形状を有するような場合でも、遮蔽板がダクトと干渉するのを防止することができる。
【００２８】
また、本実施形態では、露防止のため、照明器具取付け部である天井筺体８には、断熱材１３が貼付されるが、冷風風洞板である第１ダクト部材１０を天井筺体８の外部としているので、照明光源１４を天井の端部近傍に配置することが可能となっており、また照明光源１４からの光線を乱すことも少なくなっている。その結果、光ムラの発生など天井の意匠性が損なわれるのを防止している。
【００２９】
図４は、図２および図３Ａにおける天井筺体８に取り付けられた第１ダクト部材１０をＢ方向から見た図である。図４を参照すると、第１ダクト部材１０は、取り付け部１０ａにおいて天井筺体８にボルト１２で固定されている。また、天井筺体８の高さ１１が変更になっても、第１ダクト部材１０の高さ寸法を変えることで、天井筺体８の高さの変更に第２ダクト部材１６を共用して対応することができる。このため、これまで天井筺体高さが異なる天井では、各々のクーラーダクトを取付けていたが、構造を共通化することで組立作業性を向上させることが可能となる。
【００３０】
上述した本発明の実施形態は、本発明の説明のための例示であり、本発明の範囲をそれらの実施形態にのみ限定する趣旨ではない。当業者は、本発明の要旨を逸脱することなしに、他の様々な態様で本発明を実施することができる。
【符号の説明】
【００３１】
１０…ダクト部材、１０ａ…取り付け部、１２…ボルト、１３…断熱材、１４…照明光源、１５…ダクト、１６…ダクト部材、１ａ…乗りかご本体、２…つり合い錘、３…巻上機、４…クーラ本体、５ａ、５ｂ…送風管、６…ダクトカバー、８…天井筺体
【図１】
2014001023.tif 000003
【図２】
2014001023.tif 000004
【図３Ａ】
2014001023.tif 000005
【図３Ｂ】
2014001023.tif 000006
【図４】
2014001023.tif 000007